(57)【要約】【課題】ＣＤ−ＲＷに対して、低速記録時にも高速記録時にも良好なピットの形成をすることができるＣＤ−ＲＷドライブを提供する。【解決手段】記録速度に応じてマルチパルスのライトストラテジの周期を変更する。メモリ６に１Ｔ周期のマルチパルスパターンテーブルと２Ｔ周期のマルチパルスパターンテーブルを記憶しておき、セットされたＣＤ−ＲＷ２０のディスク種別および記録速度に応じていずれか一方を選択してライトストトラテジ回路３に設定する。高速記録時に２Ｔ周期のマルチパルスパターンテーブルを選択することにより、レーザパワーを低く抑えることができ、半導体レーザの小型化、長寿命化に寄与することができる。【選択図】　図１
2004111020.tif 000002
【特許請求の範囲】
【請求項１】
レーザ光を間欠的なマルチパルスとして照射することにより、光ディスクの記録面にピットを形成する光ディスク記録装置において、
形成するピット長に応じたマルチパルスパターンでレーザ光の点滅を制御するライトストラテジ回路と、
複数のピット長に対応した複数のマルチパルスパターンからなるマルチパルスパターンテーブルを複数種類記憶した記憶手段と、
記録速度、光ディスクのディスク種別の一方または両方に基づいて１つのマルチパルスパターンテーブルを選択し、選択したマルチパルスパターンテーブルを記憶手段から読み出してライトストラテジ回路に設定する制御手段と、
を備えた光ディスク記録装置。
【請求項２】
光ディスクを一定の角速度で回転させ、レーザ光を間欠的なマルチパルスとして照射することにより、前記光ディスクの記録面にピットを形成する光ディスク記録装置において、
形成するピット長に応じたマルチパルスパターンと記録線速度に応じてレーザ光の点滅を制御するライトストラテジ回路と、
複数のピット長に対応した複数のマルチパルスパターンからなるマルチパルスパターンテーブルを複数種類記憶した記憶手段と、
記録速度、光ディスクのディスク種別の一方または両方、および、記録線速度に基づいて１つのマルチパルスパターンテーブルを選択し、選択したマルチパルスパターンテーブルを記憶手段から読み出してライトストラテジ回路に設定する制御手段と、
を備えた光ディスク記録装置。
【請求項３】
前記マルチパルスパターンテーブルは、所定長のピットが形成されるようにレーザ光の点滅周期を決定したマルチパルスパターンを、各ピット長に対応させて複数組み合わせたものであり、
前記記憶手段は、それぞれ異なる点滅周期のマルチパルスパターンテーブルを複数記憶している請求項１または請求項２に記載の光ディスク記録装置。
【請求項４】
前記記憶手段は、レーザ光をほぼ１Ｔ周期で点滅させる１Ｔマルチパルスパターンテーブル、および、レーザ光をほぼ２Ｔ周期で点滅させる２Ｔマルチパルスパターンテーブルを記憶している請求項３に記載の光ディスク記録装置。
【請求項５】
前記制御手段は、記録中の記録速度の変化を監視し、変化する記録速度に応じて前記マルチパルスパターンテーブルを選択し、選択したマルチパルスパターンテーブルをライトストラテジ回路に設定することを特徴とする請求項１乃至請求項４のいずれかに記載の光ディスク記録装置。
【請求項６】
前記制御手段は、データ記録前の試し記録において、１Ｔマルチパルスパターンおよび２Ｔマルチパルスパターンを使用した試し記録を別々に行い、それぞれの試し記録の品位測定再生の結果に基づいてどちらのマルチパルスパターンを使用するかを決定する請求項４に記載の光ディスク記録装置。
【請求項７】
前記マルチパルスパターンとして、０．５Ｔ〜３Ｔ周期まで使用ができる請求項１または請求項２に記載の光ディスク記録装置。
【請求項８】
前記制御手段は、データ記録前の試し記録において、０．５Ｔ〜３Ｔ周期の複数の周期のマルチパルスパターンを使用した試し記録を別々に行い、それぞれの試し記録の品位測定再生の結果に基づいてどのマルチパルスパターンを使用するかを決定する請求項７に記載の光ディスク記録装置。
【発明の詳細な説明】
【０００１】
【発明の属する技術分野】
この発明は、光ディスク記録装置、特にはＣＤ−ＲＷドライブの書込制御（ライトストラテジ）の改良に関する。
【０００２】
【従来の技術】
ＣＤ−ＲＷは、記録層に相変化材料を用い、この相変化材料が昇温急冷されることによってクリスタル状態からアモルファス状態へ相転移することを用いてピットを形成し、さらに昇温徐冷されることによってアモルファス状態へ相転移したピットをクリスタル状態に戻すことによってイレースを行っている。
クリスタル状態とアモルファス状態とでは反射率が１５パーセント程度異なることからこれによって情報の記録／消去を行うことができる。
【０００３】
記録層の加熱は、レーザ光の照射によって行うが、書込時に高いパワー（ライトパワー）のレーザ光を連続照射すると急冷がうまく行かず、一旦アモルファス化した記録層が再度クリスタル化してピットが形成されないという問題点がある。そこで、ＣＤ−ＲＷへの書込制御（ライトストラテジ）は、図７（Ａ）に示すように、ライトパワーのレーザ光をパルス状に間欠的に照射し、各パルス間はボトムパワーまでパワーレベルを下げて記録層の急冷が促進されるようにしたマルチパルス方式で行うようにしている。
【０００４】
従来のＣＤ−ＲＷドライブでは、パルスの１周期（パルス幅＋パルス間隔）がＥＦＭの１クロック（１Ｔ）となるような１Ｔマルチパルスのライトストラテジを採用していた。
なお、記録層を冷却するときも半導体レーザの電流を完全に遮断してしまわずにボトムパワーの電流を流しているのは、次のライトパワーへの立ち上がりが迅速に行われるようにするためである。また、オーバーライトするために、ピットを形成しない箇所（ランドとなる箇所）にはイレースパワーのレーザ光を照射して古いピットを消去している。
【０００５】
【発明が解決しようとする課題】
一方、ＣＤ−ＲＷの書き込みの高速化が進んでおり、１０倍速〜２４倍速の記録速度が要求されるようになってきた。２４倍速で書き込みを行う場合には、１Ｔの時間的長さが９．６ｎＳ程度の長さになる。一方、半導体レーザの点灯（ボトムパワーからライトパワーへの立ち上がり）、消灯（ライトパワーからボトムパワーへの立ち下がり）に要する時間はそれぞれ２ｎＳ程度である。したがって、２４倍速で１Ｔマルチパルスのライトストラテジを行って０．５Ｔのパルスを立ち上げた場合には、図７（Ｂ）に示すようにレーザパワーが立ち上がる前にパルスが終了してしまい良好なピットの形成ができないという問題点があった。
【０００６】
これに対応するため、パルス周期を長くすることが考えられるが、パルス周期を１Ｔよりも長くした場合、たとえば２Ｔ周期では３Ｔのピットを形成できないなど、ピット長とパルス周期が同期しない場合があるため単純なマルチパルス列では正しい長さのピットが形成できないという問題点がある。また、長いパルス周期のマルチパルスのライトストラテジでは、１〜１０倍速程度の低速の記録速度では形状のよいピットを形成することができないという問題点もあった。
【０００７】
この発明は、ＣＤ−ＲＷなどの光ディスクに対して、低速記録時にも高速記録時にも良好なピットの形成をすることができる光ディスク記録装置を提供することを目的とする。
【０００８】
【課題を解決するための手段】
（１）　この発明は、レーザ光を間欠的なマルチパルスとして照射することにより、光ディスクの記録面にピットを形成する光ディスク記録装置において、
形成するピット長に応じたマルチパルスパターンでレーザ光の点滅を制御するライトストラテジ回路と、複数のピット長に対応した複数のマルチパルスパターンからなるマルチパルスパターンテーブルを複数種類記憶した記憶手段と、記録速度、光ディスクのディスク種別の一方または両方に基づいて１つのマルチパルスパターンテーブルを選択し、選択したマルチパルスパターンテーブルを記憶手段から読み出してライトストラテジ回路に設定する制御手段と、を備えたことを特徴とする。
【０００９】
（２）　この発明は、光ディスクを一定の角速度で回転させ、レーザ光を間欠的なマルチパルスとして照射することにより、前記光ディスクの記録面にピットを形成する光ディスク記録装置において、形成するピット長に応じたマルチパルスパターンと記録線速度に応じてレーザ光の点滅を制御するライトストラテジ回路と、複数のピット長に対応した複数のマルチパルスパターンからなるマルチパルスパターンテーブルを複数種類記憶した記憶手段と、記録速度、光ディスクのディスク種別の一方または両方、および、記録線速度に基づいて１つのマルチパルスパターンテーブルを選択し、選択したマルチパルスパターンテーブルを記憶手段から読み出してライトストラテジ回路に設定する制御手段と、を備えたことを特徴とする。
【００１０】
（３）　この発明は、（１）、（２）の発明において、前記マルチパルスパターンテーブルは、所定長のピットが形成されるようにレーザ光の点滅周期を決定したマルチパルスパターンを、各ピット長に対応させて複数組み合わせたものであり、前記記憶手段は、それぞれ異なる点滅周期のマルチパルスパターンテーブルを複数記憶していることを特徴とする。
【００１１】
（４）　この発明は、（３）の発明において、前記記憶手段は、レーザ光をほぼ１Ｔ周期で点滅させる１Ｔマルチパルスパターンテーブル、および、レーザ光をほぼ２Ｔ周期で点滅させる２Ｔマルチパルスパターンテーブルを記憶していることを特徴とする。
【００１２】
（５）　この発明は、（１）〜（４）の発明において、前記制御手段は、記録中の記録速度の変化を監視し、変化する記録速度に応じて前記マルチパルスパターンテーブルを選択し、選択したマルチパルスパターンテーブルをライトストラテジ回路に設定することを特徴とする。
【００１３】
（６）　この発明は、（１）、（２）の発明において、前記制御手段は、データ記録前の試し記録において、１Ｔマルチパルスパターンおよび２Ｔマルチパルスパターンを使用した試し記録を別々に行い、それぞれの試し記録の品位測定再生の結果に基づいてどちらのマルチパルスパターンを使用するかを決定することを特徴とする。
【００１４】
（７）　この発明は、（１）、（２）の発明において、前記マルチパルスパターンとして、０．５Ｔ〜３Ｔ周期まで使用ができることを特徴とする。
【００１５】
（８）　この発明は、（７）の発明において、前記制御手段は、データ記録前の試し記録において、０．５Ｔ〜３Ｔ周期の複数の周期のマルチパルスパターンを使用した試し記録を別々に行い、それぞれの試し記録の品位測定再生の結果に基づいてどのマルチパルスパターンを使用するかを決定することを特徴とする。
【００１６】
＜作用＞
この発明では、形成するピットよりも短いレーザ光を間欠的にマルチパルスとして照射することで加熱と急冷を繰り返し行い、これによって光ディスクの記録面に所定長のピットを形成する。ライトパワーでレーザ光を照射する加熱期間であるパルス幅とボトムパワーでレーザ光を消灯する冷却期間であるパルス間隔を組み合わせて所望の長さのピットが形成されるようなマルチパルスパターンを各ピット長（ＣＤのＥＦＭの場合には３Ｔ〜１１Ｔ）について決定してマルチパルスパターンテーブルを作成する。それぞれ異なるパターンの複数のマルチパルスパターンテーブルを作成して記憶手段に記憶しておく。そして、光ディスクにピットを形成するとき、すなわち情報を記録するとき、その光ディスクのディスク種別、この光ディスクに情報を記録する記録速度のうち一方または両方の条件に基づいて上記複数のマルチパルスパターンテーブルから１つを選択する。これはこのメディア種別、記録速度で最も良好なピットが形成されるマルチパルスパターンを選択すればよい。そして、このマルチパルスパターンで情報を記録することにより、記録品質のよい記録済光ディスクを作成することができる。
【００１７】
なお、記録中に記録速度（線速度）を変化させるＣＡＶ、パーシャルＣＡＶ、ゾーンＣＬＶなどの記録方式においては、制御手段が記録中の記録速度の変化を監視し、記録速度の変化に対応してマルチパルスパターンテーブルの選択を変更するようにしてもよい。すなわち、記録速度の変化によってマルチパルスパターンテーブルの選択が切り換わったとき、これにより新たに選択されたマルチパルスパターンテーブルを記憶手段から読み出してライトストラテジ回路に設定する。これにより、記録速度を変化させる記録方式であっても常に最適のライトストラテジで情報の記録（ピットの形成）をすることができる。
【００１８】
【発明の実施の形態】
図面を参照してこの発明の実施形態である光ディスク記録装置について説明する。この実施形態では、ＣＤ−ＲＷに対してデータの書込／消去を行うＣＤ−ＲＷドライブを例にあげて説明する。
図１は同ＣＤ−ＲＷドライブの概略ブロック図である。ＣＤ−ＲＷであるディスク２０は、スピンドルモータ９によって所定の回転数で回転する。ディスク２０の記録面には光学系１が対向している。光学系１は半導体レーザを内蔵している。この半導体レーザは、ＡＬＰＣ（Ａｕｔｏｍａｔｉｃ　Ｌａｓｏｒ　Ｐｏｗｅｒ　Ｃｏｎｔｒｏｌｌｅｒ）２、ライトストラテジ回路３およびエンコーダ／デコーダ４による制御で所定のパワー、所定のマルチパルスパターンで発光し、ディスク２０の記録面にレーザ光を照射する。
【００１９】
スピンドルモータ９の回転速度、光学系１のディスク半径方向の位置制御、および、レーザ光のフォーカス制御は、サーボ制御回路７が制御する。すなわち、サーボ制御回路７は、スピンドル（回転）サーボ回路、トラッキングサーボ回路、フィード（送り）サーボ回路、フォーカシングサーボ回路を含んでおり、それぞれのサーボ回路が、スピンドルモータ９、トラッキングアクチュエータ（不図示）、フィードモータ（不図示）、フォーカシングアクチュエータ（不図示）を制御する。
【００２０】
ＣＤ−ＲＷであるディスク２０に書き込むべきデータはインタフェース１０を介してエンコーダ／デコーダ４に入力される。エンコーダ／デコーダ４は、書き込むべきデータがインタフェース１０から入力されたとき、このデータにＥＤＣ／ＥＣＣを付加するとともにＣＩＲＣ処理をし、さらに、ＥＦＭ変調をかけてライトストラテジ回路３に入力する。ライトストラテジ回路３には、ＥＦＭ変調されたデータの各ピット長（３Ｔ〜１１Ｔ）のピットを形成するためのマルチパルスパターンテーブルが設定されている。エンコーダ／デコーダ４からＥＦＭ変調されたデータが入力されると、このＥＦＭデータの３Ｔ〜１１Ｔのピット／ランドを形成するようにマルチパルスパターンテーブルに基づいてライトストラテジ処理を行い、ライトパワー、ボトムパワー、イレースパワーのパワーレベルを制御するレーザパワー制御信号を出力する。ＡＬＰＣ２は、このレーザパワー制御信号に対応して半導体レーザがそれぞれ所定のパワーで発光するように、半導体レーザダイオードに入力する電流を制御する。ライトパワー、ボトムパワー、イレースパワーの実際のパワーレベルは、記録速度やＯＰＣなどに基づいてそれぞれ適切に制御される。
【００２１】
なお、３Ｔ〜１１Ｔの各ピット長の時間的な長さは、記録速度に応じて（反比例して）変化し、ライトストラテジ回路３は、制御部５から入力された記録速度情報に基づき、各パルス幅やパルス間隔が記録速度に一致するようにマルチパルスパターンの時間軸を伸縮させる。
【００２２】
装置にディスク２０がセットされると、プリローディングによってこのディスク２０の属性情報が読み取られ、この属性情報に基づいてディスク種別判別部８がディスク種別を判別する。このディスク種別は制御部５に入力される。また、制御部５には、インタフェース１０を介して、ホスト装置から各種のコマンドが入力される。制御部５に記録コマンドが入力されると、制御部５は、記録コマンドに含まれている記録速度指定情報、および、プリロードによって検出されたディスク種別に基づいて、ライトストラテジを決定する、すなわち、マルチパルスパターンテーブルを選択するとともに、マルチパルスパターンテーブルをメモリ６から読み出してライトストラテジ回路３に設定する。また記録直前にＯＰＣを行い、このライトパワーの最適値を求めてＡＬＰＣ２に設定する。
【００２３】
こののち、インタフェース１０から記録データが入力され、このデータがＥＦＦＭ化されてディスク２０に記録される。
【００２４】
ここで、メモリ６は、複数種類のマルチパルスパターンテーブルを記憶している。マルチパルスパターンテーブルは、図２、図３に示すようなものである。マルチパルスパターンテーブルは、３Ｔ〜１１Ｔのピットを形成するための最適なパルス幅およびパルス間隔のパターンを設定したものであり、各マルチパルスパターンテーブルには、それぞれ異なるパルス周期（パルス幅＋パルス間隔）に基づいたマルチパルスパターンが記憶されている。図２は１Ｔを基本周期とした１Ｔマルチパルスパターンテーブル（１Ｔ周期ライトストラテジ）であり、図３は２Ｔを基本周期とした２Ｔマルチパルスパターンテーブル（２Ｔ周期ライトストラテジ）である。
【００２５】
ここで、本願におけるｎＴマルチパルスパターンとは、所定記録速度におけるエンコーダ・クロックの基本周期をＴとして、ｎＴのパルス周期（ｎＴ／２パルス幅＋ｎＴ／２パルス間隔）に基づいて生成されたマルチパルスパターンを言う。
【００２６】
図２に示す１Ｔ周期を基本としたマルチパルスパターンは、どの長さのピットを形成する場合でもほぼ同様の周期パターンが用いられている。すなわち、最初の１Ｔ期間はレーザを点灯し、それに続けて０．５Ｔ消灯（ボトムパワー）させ０．５Ｔ点灯（ライトパワー）させるパターンを繰り返す。そして、最後の１Ｔ期間のみ０．６Ｔ消灯させたのち、ピット区間の終了前０．４Ｔからイレースパワーに移行する。
【００２７】
また、図３に示す２Ｔ周期を基本としたマルチパルスパターンは、全てのピット長において最初の１Ｔ（３Ｔピットの場合のみ１．１Ｔ）を点灯する点では同様であるが、それ以後のパルス間隔およびパルス幅が各ピット長に合わせて種々のパターンで形成されている。基本のパルス周期が１Ｔよりも長いため、ピット長によっては周期が合わない場合がでてくる。そこで、種々のパルス幅、パルス間隔を用いることによって３Ｔ〜１１Ｔの全てのピットを性格に形成できるように工夫されている。たとえば、３Ｔのピットを形成する場合には、まず１．１Ｔのパルス幅で点灯（ライトパワー）し、次に１．０Ｔだけ消灯（ボトムパワー）する。そしてその後は（３Ｔが終了するまでは０．９Ｔ残っているが）、イレースパワーで制御する。このようにボトムパワー区間とイレースパワー区間を制御することにより、ライトパワー区間の余熱を制御して３Ｔのピットが形成されるようにしている。
【００２８】
図４は、制御部５の基本的な動作を示すフローチャートである。この動作は、記録速度とディスク種別に基づいて、１Ｔマルチパルスパターンテーブルまたは２Ｔマルチパルスパターンテーブルのいずれかを選択する動作を示している。装置にＣＤ−ＲＷであるブランクディスク２０がセットされると（ｓ１）、プリロードを行ってこのディスクの種別を判別し（ｓ２）、これを制御部５の内部メモリに保持する。そして、インタフェース１０を介して接続されているホスト装置から記録コマンドが入力されるまで待機する。記録コマンドが入力されると（ｓ３）、この記録コマンドに含まれている記録速度指定情報およびプリロード時に判別したディスク種別に基づいて１Ｔマルチパルスパターンテーブル、２Ｔマルチパルスパターンテーブルのいずれかを選択し（ｓ４）、この選択したマルチパルスパターンテーブルをメモリ６から読み出してライトストラテジ回路３に設定する（ｓ５）。
【００２９】
こののち、インタフェース１０を介して記録データが入力されると、エンコーダ／デコーダ４がこのデータに対してＥＤＣ／ＥＣＣの付加、ＣＩＲＣ処理をするとともにＥＦＭ変調してライトストラテジ回路３に入力する。ライトストラテジ回路３は、制御部５によってセットされたマルチパルスパターンテーブルに基づき、エンコーダ／デコーダ４から入力されたＥＦＭエンコードデータに対応する長さのピット／ランドを形成するためのレーザパワー制御信号を生成してＡＬＰＣ２に入力する。ＡＬＰＣ２は、ライトストラテジ回路３から入力されたレーザパワー制御信号に基づき、そのときのディスク種別、記録速度、ＯＰＣの結果に基づいて最適なレーザパワーで光学系１の半導体レーザの発光を制御する。これにより、ディスク２０にピットが形成され、インタフェース１０を介して入力されたデータの記録が行われる。
【００３０】
記録可能な光ディスクであるＣＤ−ＲＷは、製造メーカ毎に特性の違いがあるためそれぞれ異なる属性情報（ディスク種別情報）を有しているが、一般的にＣＤ−ＲＷのディスク種別は、１〜４倍速記録用のロー・スピード・メディア、４〜１６倍速記録用のハイ・スピード・メディア、８〜３２倍速記録用のウルトラ・スピード・メディアに分類される。
【００３１】
上記フローチャートのｓ４で、図２、図３に示した１Ｔマルチパルスパターンテーブル、２Ｔマルチパルスパターンテーブルのいずれか一方を選択する場合には、たとえば図５に示すような選択パターンでいずれか一方のマルチパルスパターンを選択するようにすればよい。すなわち同図（Ａ）では、ロー・スピード・メディア、ハイ・スピード・メディアの場合には、記録速度の範囲が１〜４倍、４〜１６倍であるため、どの製造メーカのディスクであっても１Ｔマルチパルスパターンテーブルを選択する。
ウルトラ・スピード・メディアの場合には、２０倍以上の記録速度で記録する場合には、どの製造メーカのディスクであっても２Ｔマルチパルスパターンテーブルを選択する。ただし、ウルトラ・スピード・メディアの光ディスクで８〜２０倍の記録速度で記録する場合には、「ウルトラ・スピード・メディア」のディスク種別情報以外の情報を参照し、この記録速度であっても２Ｔマルチパルスパターンテーブルを選択するか、この記録速度の範囲内では１Ｔマルチパルスパターンテーブルを選択するかを決定する。
【００３２】
このように、２Ｔマルチパルスパターンテーブル、すなわち２Ｔ周期のライトストラテジを用いることにより、高速記録時であっても、半導体レーザを確実に点灯／消灯させることができるため、半導体レーザから実際に出力されるレーザ光のパワーを精度よく制御することができる。
また、図６（Ａ）、（Ｂ）の２４倍速記録時のジッタ変化図、変調度変化図に示すように、ライトストラテジを２Ｔ周期にすれば、高速で記録するときの最適パワーが１Ｔ周期のときの約半分になるため、半導体レーザの寿命が延びるなどの利点が生じる。また、低出力の半導体レーザ、ＡＬＰＣを用いることができるなどの利点が生じる。
【００３３】
なお、この実施形態では、マルチパルスパターン（ライトストラテジ）として１Ｔ周期、２Ｔ周期の２種類のパターンテーブルをメモリ２に記憶したが、マルチパルスパターンの周期はこれに限定されない。また、種類も２種類に限定されず、もっと多種類を記憶するようにしてもよい。
また、図４のフローチャートでは、ディスク種別と記録速度の両方の情報に基づいてマルチパルスパターンテーブルの選択を行っているが、ディスク種別または記録速度のいずれか一方のみの情報に基づいてマルチパルスパターンテーブルの選択を行うようにしてもよい。
【００３４】
また、ＣＡＶ、パーシャルＣＡＶ、ゾーンＣＬＶなどの記録方式では記録途中に記録速度が変化する。この場合、ライトストラテジ回路３、ＡＬＰＣ２が、記録速度の変化に追従してクロック周期（Ｔ）の変更や書込パワーの変更を行うようにしているが、さらにこれに加えてライトストラテジ回路３に設定するマルチパルスパターンテーブルを変更するようにしてもよい。
すなわちこの場合には、制御部５が、記録中の記録速度の変化を常時監視しており、記録速度の変化に対応して、その記録速度に応じた最適のマルチパルスパターンテーブルがどれかを継続的に判断する。そして、最適のマルチパルスパターンが切り換わったとき、この最適のマルチパルスパターンテーブルをメモリ６から読み出してライトストラテジ回路３に設定する。
【００３５】
また、この実施形態は、ＣＤ−ＲＷにデータを記録する光ディスク記録装置について説明したが、メディアはＣＤ−ＲＷに限定されず、マルチパルス方式でピットを形成するメディアであれば、たとえば、ＤＶＤ＋ＲＷ，ＤＶＤ−ＲＷ，ＤＶＤ−ＲＡＭ，Ｂｌｕｅ　Ｒａｙ　ｄｉｓｋなどどようなメディアに対してもこの発明を適用することが可能である。
【００３６】
また、上記実施形態では、１Ｔおよび２Ｔのマルチパルスパターンを例示したが、マルチパルスパターンはこれに限定されず、０．５Ｔ〜３Ｔの範囲で任意の種類のマルチパルスパターンを設定し、上記実施形態の方式でそのいずれかを選択するようにすればよい。
【００３７】
【発明の効果】
以上のようにこの発明によれば、ＣＤ−ＲＷなどの光ディスクのディスク種別や記録速度に応じて最適なライトストラテジであるマルチパルスパターンテーブルを選択することができるため、どのような媒体、どのような記録速度でも良好なピット形成ができ、品質のよい情報記録が可能になる。
【図面の簡単な説明】
【図１】この発明の実施形態である光ディスク記録装置のブロック図
【図２】同光ディスク記録装置に適用される１Ｔマルチパルスパターンテーブルの内容を示す図
【図３】同光ディスク記録装置に適用される２Ｔマルチパルスパターンテーブルの内容を示す図
【図４】同光ディスク記録装置の制御部の動作を示すフローチャート
【図５】同光ディスク記録装置のディスク種別・記録速度に応じたライトストラテジの選択を説明する図
【図６】高速記録時における１Ｔ周期ライトストラテジと２Ｔ周期ライトストトラテジのジッタ変化、変調度（Ｉ１１／Ｉｔｏｐ）変化を示す図
【図７】従来の記録時のライトストラテジを説明する図
【符号の説明】
１…光学系、２…ＡＬＰＣ、３…ライトストラテジ回路、４…エンコーダ／デコーダ、５…制御部、６…メモリ、７…サーボ回路、８…ディスク種別判別部、９…スピンドルモータ、１０…インタフェース、２０…ディスク（ＣＤ−ＲＷ）
【図１】
2004111020.tif 000003
【図２】
2004111020.tif 000004
【図３】
2004111020.tif 000005
【図４】
2004111020.tif 000006
【図５】
2004111020.tif 000007
【図６】
2004111020.tif 000008
【図７】
2004111020.tif 000009